(57)【要約】【課題】コンテンツ記録装置において、ＨＤＤや内蔵メモリ等の内蔵記憶手段に記憶されたコンテンツデータの整理を簡単に実行すること。【解決手段】ユーザからの整理指示に従いＨＤＤ２９に記憶された任意の番組データを削除や移動（ムーブ）等の整理される毎に、データ移動制御部３１は、その整理時点でＨＤＤ２９に記憶された全ての番組データを整理済みデータとして整理用メモリ３２に登録する。ユーザからのＨＤＤ２９内の整理指示があると、データ移動制御部３１は、整理用メモリ３２に登録された整理済みデータに基づいて、ＨＤＤ２８に記憶された番組データのうち整理済みデータとして登録された番組データ以外の未整理番組データをＤＶＤ３０ａに記憶し、ＨＤＤ２９から削除する移動を制御する。これにより、ＨＤＤ２９からＤＶＤ３０ａへのコンテンツデータの移動を簡単に行なうことができる。【選択図】図１
2008159202.tif 000002
【特許請求の範囲】
【請求項１】
コンテンツデータを内蔵記憶手段に記憶する記憶処理を行うと共に、前記内蔵記憶手段に記憶されたコンテンツデータを本装置外へ記憶し、かつ、前記内蔵記憶手段から削除するコンテンツデータの移動処理を含む前記コンテンツデータの整理処理を行うコンテンツ記録装置であって、
ユーザからの整理操作に従って前記内蔵記憶手段に記憶された任意のコンテンツデータが整理される毎に、その整理時点で前記内蔵記憶手段に記憶された全てのコンテンツデータを整理済みデータとして登録する整理済みデータ登録手段と、
前記整理済みデータ登録手段に登録された前記整理済みデータに基づいて、前記内蔵記憶手段に記憶された前記整理済みデータ以外の未整理コンテンツデータを前記本装置外へ記憶し、かつ、前記内蔵記憶手段から前記未整理コンテンツデータを削除するように前記移動処理を制御する移動処理制御手段と、
を有するコンテンツデータ記録装置。
【請求項２】
請求項１記載のコンテンツデータ記録装置において、
前記移動処理制御手段は、
前記整理済みデータ登録手段に登録された前記整理済みデータに基づいて、前記内蔵記憶手段に記憶された前記未整理コンテンツデータが前記記録媒体の記録容量に応じた所定の容量に達したか否かを判断し、前記未整理コンテンツデータが前記所定の容量に達した場合、前記本装置外へ記憶し、かつ、前記内蔵記憶手段から前記未整理コンテンツデータを削除するように前記移動処理を制御する、コンテンツデータ記録装置。
【請求項３】
請求項１記載のコンテンツデータ記録装置において、
前記移動処理制御手段は、
所定期間毎に、前記整理済みデータ登録手段に登録された前記整理済みデータに基づいて、前記内蔵記憶手段に前記未整理コンテンツデータを前記本装置外へ記憶し、かつ、前記内蔵記憶手段から前記未整理コンテンツデータを削除するように前記移動処理を制御する、コンテンツデータ記録装置。
【請求項４】
請求項１〜請求項３のいずれか一の請求項に記載のコンテンツ記録装置において、さらに、
前記コンテンツデータとして放送番組を受信し前記内蔵記憶手段へ出力する受信手段を有するコンテンツデータ記録装置。
【請求項５】
請求項１〜請求項３のいずれか一の請求項に記載のコンテンツ記録装置において、さらに、
前記コンテンツデータとしてネットワークを介しマルチメディアデータを受信し前記内蔵記憶手段へ出力する受信手段を有するコンテンツデータ記録装置。
【発明の詳細な説明】
【技術分野】
【０００１】
本発明は、放送番組や、音楽データ、映像データ等のマルチメディアデータ等のコンテンツデータをハードディスクドライブ（ＨＤＤ）や内蔵メモリ等の内蔵記憶手段に記憶する記憶処理を行うと共に、その内蔵記憶手段に記憶されたコンテンツデータを、光ディスクやフラッシュメモリ等の記録媒体、さらには本装置に接続された他の装置等の本装置外へ記憶し、かつ、内蔵記憶手段から削除するコンテンツデータの移動処理を含む前記コンテンツデータの整理処理を行うコンテンツ記録装置に関する。
【背景技術】
【０００２】
従来、ＨＤＤや内蔵メモリ等の内蔵記憶手段を有し、ＤＶＤやフラッシュメモリ等の記録媒体への書込み機能を有するコンテンツ記録装置で、番組データなどのコンテンツデータを内蔵記憶手段に記録する場合、ＨＤＤ等の内蔵記憶手段の容量が有限であるので、ある程度ＨＤＤ記録を続けると、記録したデータを削除や記録媒体に移動して、ＨＤＤの記録に使用できる容量を確保する必要がある。この場合、ユーザがＨＤＤ内の不要と判断したデータを自分で判断して削除するか、光ディスクへデータを移動することが一般的である。また、記録再生装置が自動で記録日付の古いデータを削除することもある。
【０００３】
しかし、上記の従来の記録再生装置で、ＨＤＤ等の内蔵記憶手段の記録領域を確保するには、ユーザが定期的に記録データの整理操作をする必要があり、非常に負担になることが多い。複数の連続ドラマ等をタイマー予約で記録している場合などは、記録した当日に再生視聴できずに週末等にまとめて再生視聴することが多いが、これさえも時間の都合で再生視聴できないこともありＨＤＤ等の内蔵記憶手段の容量が一杯になり、新しく番組を記録するために、再生視聴前のデータを消さざるを得ないことがある。こういった事態を避けるために、週末等の比較的時間が確保できる機会に、ＨＤＤ等の内蔵記憶手段のデータ整理をまとめて行うことが多いが、番組を個別に確認しながら整理作業をするのは、かなりの労力と時間がかかる作業となり、これを軽減することが従来から課題となることが多かった。
【０００４】
そこで、ＨＤＤ等の内蔵記憶手段内のデータに対して、アクセス回数、記録日時、データ圧縮率等の判断項目を設定して、ＤＶＤ等の記録媒体へバックアップを行うようにしたコンテンツ記録装置がある（例えば、特許文献１参照。）。
【特許文献１】特開２００６−２０９８４８号公報
【発明の開示】
【発明が解決しようとする課題】
【０００５】
しかし、前述の特許文献１のコンテンツ記録装置では、ＨＤＤ等の内蔵記憶手段内のデータを定期的に整理作業するため、番組データのアクセス回数や、記録日時、データ圧縮率等を判断項目としてデータ移動を行うが、ＨＤＤ内データ全てを対象にするので、あまり利便性が高くない、という問題がある。
【０００６】
そこで、本発明は、ＨＤＤや内蔵メモリ等の内蔵記憶手段に記憶されたコンテンツデータの整理を簡単に実行することができるコンテンツ記録装置を提供することを目的とする。
【課題を解決するための手段】
【０００７】
上記目的を達成するため、本発明のコンテンツ記録装置では、コンテンツデータを内蔵記憶手段に記憶する記憶処理を行うと共に、前記内蔵記憶手段に記憶されたコンテンツデータを本装置外へ記憶し、かつ、前記内蔵記憶手段から削除するコンテンツデータの移動処理を含む前記コンテンツデータの整理処理を行うコンテンツ記録装置であって、ユーザからの整理操作に従って前記内蔵記憶手段に記憶された任意のコンテンツデータが整理される毎に、その整理時点で前記内蔵記憶手段に記憶された全てのコンテンツデータを整理済みデータとして登録する整理済みデータ登録手段と、前記整理済みデータ登録手段に登録された前記整理済みデータに基づいて、前記内蔵記憶手段に記憶された前記整理済みデータ以外の未整理コンテンツデータを前記本装置外へ記憶し、かつ、前記内蔵記憶手段から前記未整理コンテンツデータを削除するように前記移動処理を制御する移動処理制御手段と、を有するものである。
【０００８】
ここで、前記移動処理制御手段は、前記整理済みデータ登録手段に登録された前記整理済みデータに基づいて、前記内蔵記憶手段に記憶された前記未整理コンテンツデータが前記記録媒体の記録容量に応じた所定の容量に達したか否かを判断し、前記未整理コンテンツデータが前記所定の容量に達した場合、前記本装置外へ記憶し、かつ、前記内蔵記憶手段から前記未整理コンテンツデータを削除するように前記移動処理を制御するようにしても良いし、所定期間毎に、前記整理済みデータ登録手段に登録された前記整理済みデータに基づいて、前記内蔵記憶手段に前記未整理コンテンツデータを前記本装置外へ記憶し、かつ、前記内蔵記憶手段から前記未整理コンテンツデータを削除するように前記移動処理を制御するようにしても良いし、さらには、ユーザからの指示に基づいて前記移動処理を制御するようにしても良い。
【０００９】
なお、本発明では、コンテンツデータの整理とは、内蔵記憶手段から記憶媒体へのコンテンツデータの移動処理やコピー処理、内蔵記憶手段に記憶されたコンテンツデータの削除処理、さらには内蔵記憶手段に記憶されたコンテンツデータを内蔵記憶手段内で移動やコピーしたり、さらには内蔵記憶手段に記憶されたコンテンツデータを加工するなどの編集処理等、コンテンツデータを実体的あるいは形式的に操作する処理のことをいう。
【発明の効果】
【００１０】
本発明によれば、内蔵記憶手段に記憶されたコンテンツデータが整理される毎に、その整理時点で内蔵記憶手段に記憶された全てのコンテンツデータを整理済みデータとして登録し、その整理済みデータに基づいて、内蔵記憶手段に記憶された整理済みデータ以外の未整理コンテンツデータを録媒体に記憶し、かつ、内蔵記憶手段から削除する移動処理を制御するようにしたので、ＨＤＤや内蔵メモリ等の内蔵記憶手段に記憶されたコンテンツデータの整理を簡単に実行することができる。
【発明を実施するための最良の形態】
【００１１】
以下、本発明を実施するためのコンテンツ記録装置の実施の形態について、図１から図４を参照して説明する。
【００１２】
実施の形態１．
本実施の形態１は、本発明に係るコンテンツ記録装置を、放送番組を受信して記録する番組記録再生装置に適用したもののである。
【００１３】
図１は、本発明に係るコンテンツ記録装置を適用した番組記録装置の実施の形態の構成例を示すブロック図である。
【００１４】
図１に示す番組記録装置は、放送番組を受信する受信部１と、受信部１によって受信された放送番組を記録および再生する記録再生部２と、ユーザの操作を受け付ける操作制御部３とを有しており、アンテナ４やモニタ５と接続されていると共に、リモコン６からの操作指示を受け付けるように構成されている。
【００１５】
図１において、受信部１は、ＴＶチューナ２０、外部入力部２１、入力切換部２２、Ａ／Ｄ変換器２３、ＭＰＥＧ２エンコーダ２４、バッファメモリ２５、マイコン２６、一時記憶メモリ２７等を有している。なお、この受信部１は、アナログ放送の受信回路を想定しており、デジタル放送を受信する場合には、Ａ／Ｄ変換器２３などは不要となる。
【００１６】
また、図１において、記録再生部２は、ハードディスク記録再生部２８、内蔵記憶手段としてのＨＤＤ２９、ＤＶＤ（光メディア）記録部３０、本発明のデータ移動制御手段としてのデータ移動制御部３１、整理済みデータ登録手段としての整理済みデータ登録部３２等を有している。なお、本実施の形態では、内蔵記憶手段としてのＨＤＤ２９を用いているが、内蔵メモリ等であっても勿論良い。
【００１７】
また、図１において、操作制御部３は、バッファメモリ３３、ＭＰＥＧ２デコーダ３４、Ｄ／Ａ変換器３５、リモコンＩ／Ｆ３６、マイコン３７、一時記憶メモリ３８等を有している。
【００１８】
次に動作を説明する。
【００１９】
まず、放送局（図示せず）から放送された放送番組がアンテナ４を介し受信部１のＴＶチューナ２０や外部入力２１に入力されると、入力切換部２２により選択されて、Ａ／Ｄ変換器２３でＡ／Ｄ変換され、ＭＰＥＧ２エンコーダ２４により圧縮符号化され、バッファメモリ２５を介し、記録再生部２のハードディスク記録再生部２８へ送られる。
【００２０】
ハードディスク記録再生部２８では、ユーザからの録画指令や、タイマによる予約録画指令により、番組データの録画を指示されている場合は、ＭＰＥＧ２エンコーダ２４により圧縮符号化された番組データをＨＤＤ２９に記録する。
【００２１】
また、ユーザからの番組データの視聴指令が入力している場合には、ハードディスク記録再生部２８を介し、あるいはハードディスク記録再生部２８を介さずにバッファメモリ２５の番組データが操作制御部３のバッファメモリ３３へ送られ、ＭＰＥＧ２でコーダ３４にて復号され、Ｄ／Ａ変換器３５でＤ／Ａ変換され、モニタ５に表示される。
【００２２】
このようにして、ユーザからの番組データの視聴指令が入力している場合には、モニタ５に番組データが表示される一方、ユーザからの録画指令や、タイマによる予約録画指令により、番組データの録画を指示されている場合は、ＨＤＤ２９に番組データが圧縮されて記録される。
【００２３】
そして、ＨＤＤ２９に番組データが記憶されると、ユーザは、リモコン６、操作制御部３を介し指示を送り、ＨＤＤ２９に記憶された番組データを再生して、再生済みの番組データを削除（消去）したり、ＤＶＤ３０ａに移動したり、さらには番組データ自体を編集等の番組データであるコンテンツデータの整理をする。なお、コンテンツデータの整理には、上述した内蔵記憶手段であるＨＤＤ２９から記憶媒体であるＤＶＤ３０ａへのコンテンツデータの移動処理や、コピー処理、ＨＤＤ２９に記憶されたコンテンツデータの削除処理、さらにはＨＤＤ２９に記憶された番組データなどのコンテンツデータをＨＤＤ２９内で移動やコピーしたり、さらにはＨＤＤ２９に記憶されたコンテンツデータを加工するなどの編集処理等、コンテンツデータを実体的あるいは形式的に操作する処理のことをいう。
【００２４】
次に、本実施の形態のＨＤＤ２９に格納された番組データのＤＶＤ３０ａへの自動移動処理について説明する。
【００２５】
なお、本実施の形態の番組記録再生装置では、従来のユーザのマニュアル操作によるＨＤＤ２９内のデータの移動処理と、本発明に係るＨＤＤ２９内のデータの自動移動処理とが可能である。
【００２６】
そして、本発明に係るＨＤＤデータの自動移動処理には、ユーザからの指令により行われる指令型自動移動処理と、一定容量に達したら行われる容量制限型自動移動処理と一定期間毎に行われる期間制限型自動移動処理との３つの手法がある。１つ目の指令型自動移動処理はユーザからの指令により行われるイベント的な自動移動処理である。２つ目の容量制限型自動移動処理は、ユーザ整理設定開始後にＨＤＤ２９に未整理のコンテンツデータがＤＶＤ３０ａへ１回で移動できる容量に達したらＤＶＤ３０ａへ移動する差分移動処理である。３つ目の期間制限型自動移動処理は前回実施したユーザによるＨＤＤデータ整理処理である。
【００２７】
まずは、ユーザからの自動移動指令によりデータの自動移動処理が行われる指令型自動移動処理について説明する。
【００２８】
例えば、ユーザがＨＤＤ２９内のデータを毎週１回の頻度で整理処理、例えば、ＨＤＤ２９内のデータの削除や、ＤＶＤ３０aへの移動を行っていたとする。毎週整理できれば大きな問題はないが、時間の都合で整理できない場合や、ＨＤＤ２９の記録領域を急遽確保したい場合など、短時間でＨＤＤ２９内のデータ整理をしたい時に、本機能を使用することでユーザの整理作業を大幅に軽減できる。
【００２９】
以下、図２のフローチャートを参照して本実施の形態の動作を説明する。
【００３０】
図２は、本実施の形態の番組記録再生装置におけるＨＤＤ２９のデータ自動移動処理を示すフローチャートである。
【００３１】
まず、ユーザよりリモコン5等を介しＨＤＤ２９の自動移動処理指令が来ると（ステップ４０“ＹＥＳ”）、データ移動制御手段としてのデータ移動制御部３１は、リモコンＩ／Ｆ３６、マイコン３７を介して、ＨＤＤ２９内の使用可能領域を確保するため自動移動処理作を開始して、まずは、整理済みデータ登録部３２に整理済みデータが登録されているか否かを判断すると共に（ステップ４１）、その整理済みデータを使用する自動移動処理が選択されているか否かを判断する（ステップ４２）。そのため、予めユーザは、ＨＤＤ２９内のデータを手動で移動処理をするか、整理済みデータ登録手段３２に登録された整理済みデータを用いて自動で移動処理をするかを選択して設定されているものとする。なお、ＨＤＤ２９内の記録領域を急遽確保したいときや、前回の整理以降の番組データを一括してＤＶＤ３０aへ移動したい場合、ユーザは、整理済みデータを使用した自動移動処理を選択する。（ステップ４２）
【００３２】
ここで、整理済みデータ登録部３２に整理済みデータが登録されていない場合（ステップ４１“ＮＯ”）、および登録されていてもユーザが自動移動処理を選択していない場合（ステップ４２“ＮＯ”）、ＨＤＤ２９の整理処理が今回最初の場合や、ユーザの手動による移動処理が選択されている場合であるので、データ移動制御部３１は、ユーザの手動操作によるデータ移動処理を含むデータ整理作業を行う（ステップ５１）。なお、この場合でも、ＨＤＤ２９に記憶されている番組データ等のコンテンツデータのＤＶＤ３０ａへの自動移動処理を行うようにしても勿論良い。
【００３３】
そして、データ移動制御部３１は、ユーザがＨＤＤ２９内のデータを削除や移動等の整理処理をした場合、その時点でのＨＤＤ２９内に保存されている全てのデータを整理済みデータとして、整理済みデータを用メモリ３２に登録する。これにより、データ移動制御部３１は、これ以降に記録した番組データ、すなわち整理済みデータ登録部３２に整理済みデータが登録されていない番組情報等のコンテンツデータは、未整理データとみなす。
【００３４】
これに対し、整理済みデータ登録部３２に整理済みデータが登録されており（ステップ４１“ＹＥＳ”）、かつ、ユーザがその整理済みデータを使用した自動移動処理がユーザにより選択されている場合（ステップ４２“ＹＥＳ”）には、データ移動制御部３１は、まず、整理済みデータ登録部３２に登録されている整理済みデータに基づいて、ＨＤＤ２９に記憶された番組データ等のコンテンツデータを、整理済みデータ登録部３２に登録されている整理済みデータと、整理済みデータ登録部３２に登録されていない未整理データと切り分け（ステップ４３）、未整理データを移動用データとする。
【００３５】
そして、データ移動制御部３１は、未整理データである移動用データを圧縮する必要があれば（ステップ４４“ＹＥＳ”）、圧縮処理をして（ステップ４５）、最新の整理作業以降に記録された未整理データの番組データである移動用データをＤＶＤ３０ａへ移動処理をする。（ステップ４６）
【００３６】
そして、その移動処理の際、データ移動制御部３１は、移動用データが１枚のＤＶＤ３０ａの容量以上にあるか否かを判断し（ステップ４７）、移動用データがＤＶＤ３０ａ１枚の容量以上にある場合には（ステップ４７“ＹＥＳ”）、ＤＶＤ３０ａの交換指示を出力して（ステップ４８）、ユーザにＤＶＤ３０ａを交換させ、続いて移動用データを新たなＤＶＤ３０ａに記録させ、データ移動処理が終了したか否かを判断する（ステップ４９）。
【００３７】
ここで、データ移動処理が終了していなければ（ステップ４９“ＮＯ”→ステップ４７“ＹＥＳ”）、さらにＤＶＤ３０ａの交換指示を出力して（ステップ４８）、ユーザにＤＶＤ３０ａを交換させる。
【００３８】
これに対し、データ移動が終了した場合（ステップ４９“ＹＥＳ”）、データ移動制御部３１は、今回のデータ移動処理をＨＤＤ２９の整理処理と認識して、ＨＤＤ２９に記録されている番組データ全てを整理済みデータとして整理済みデータ登録部３２に登録し、整理済みデータを更新する（ステップ５０）
【００３９】
図３は、本発明を使用したＨＤＤのデータ整理のイメージ図である。
【００４０】
図３（ａ）に示すように、ＨＤＤ２９の格納領域は、整理済みデータが格納されている整理済みデータ格納領域２９ａと、未整理データが格納されている未整理データ格納領域２９ｂと、何もデータが格納されていない使用可能領域２９ｃとに分けられる。
【００４１】
そして、本実施の形態１の番組記録再生装置によれば、データ移動制御部３１は、整理済みデータ登録部３２に登録されている整理済みデータに基づいて、未整理データ格納領域２９ｂに格納された未整理データを、自動的に一括してＤＶＤ３０ａへ移動処理することにより、図３（ｂ）に示すように、ＨＤＤ２９の新たな使用格納領域は、使用可能領域２９ｃと未整理データ格納領域２９ｂとを合わせた記憶容量、すなわちＨＤＤ２９の記憶容量から整理済みデータ格納領域２９ａを引いた記憶容量となる。
【００４２】
このように、本実施の形態１の番組記録再生装置によれば、ユーザからの整理指示に従いＨＤＤ２９に記憶された任意の番組データを削除や移動等の整理される毎に、データ移動制御部３１は、その整理時点でＨＤＤ２９に記憶された全ての番組データを整理済みデータとして整理用メモリ３２に登録しておき、ユーザからのＨＤＤ２９内の整理指示により、整理用メモリ３２に登録された整理済みデータに基づいて、ＨＤＤ２８に記憶された番組データのうち整理済みデータとして登録された番組データ以外の未整理番組データをＤＶＤ３０ａに記憶し、かつ、ＨＤＤ２９から削除する移動（ムーブ）処理を制御するようにしたので、コンテンツデータの移動を簡単に行なえユーザの利便性を向上させることができる。
【００４３】
なお、本実施の形態では、ユーザよりリモコン５を介しＨＤＤ２９の自動移動処理指令が来た場合に、未整理データの自動移動処理を行うように説明したが、本発明では、これに限らず、図４に示すように、ＨＤＤ２９内にＤＶＤ３０ａ一枚分の番組データが未整理データとして記録される毎に、ＤＶＤ３０ａへ自動的にデータ移動処理を行う容量制限型自動移動処理を行なうようにしても勿論良い。この場合、例えば、データ移動制御部３１は、整理用メモリ３２に登録された整理済みデータに基づいて、常にＨＤＤ２９における未整理データの記憶容量を検出しており、ＨＤＤ２９における未整理データの記憶容量がＤＶＤ３０ａ一枚分の容量に応じた所定の閾値に達した場合には（ステップ１４０“ＹＥＳ”）、ＤＶＤ３０ａへデータの自動移動処理を行うことになる。これによれば、ＨＤＤ２９の使用可能領域が少なくなっていても、ＤＶＤ３０ａをあらかじめ本装置に入れておくことで、ユーザによるＨＤＤ２９の整理を先延ばしにでき、整理作業の自由度を上げることができる。また、その際に、最低限、ＨＤＤ２９内にＤＶＤ３０ａ１枚分の容量確保するように設定しておけば、番組データの整理設定を、設定開始以降に光メディア１枚分のデータがＨＤＤに蓄えられたら光メディアに移動とすれば、ＨＤＤの容量に空き領域が少なくなった場合でも、常に光メディア１枚分のデータ領域を確保することが容易にできる。
【００４４】
また、ユーザからの指令や、ＨＤＤ２９内にＤＶＤ３０ａ一枚分の番組データが未整理データとして記録される毎に、ＤＶＤ３０ａへ自動的にデータ移動処理を行うというように容量移動処理ではなく、図５に示すように、ＨＤＤ２９における未整理データの記憶容量にかからず、一定時間毎に整理用メモリ３２に登録された整理済みデータに基づいて、ＨＤＤ２９に記憶された未整理データをＤＶＤ３０ａへ自動的にデータ移動処理を行う期間制限型自動移動処理を行なうようにしても勿論良い。この場合、データ移動制御部３１は、クロック信号発生部（図示せず）からのクロック信号に基づいて１週間や、２週間等の一定期間毎などの絶対期間毎に、あるいはクロック信号発生部（図示せず）からのクロック信号と、整理用メモリ３２に登録された整理済みデータとに基づいて、整理済みデータの更新時から１週間や、２週間等の一定期間等の相対期間毎に、その一定期間に達したときに（ステップ２４０“ＹＥＳ”）、ＨＤＤ２９に記録されている未整理データをＤＶＤ３０ａへ自動移動処理することになる。これによれば、ユーザが１週間毎等の定期的に行っていたＨＤＤデータの整理を自動化することができる。
【００４５】
実施の形態２．
上記実施の形態１では、本発明のコンテンツ記録装置を、図１に示すように、放送番組を受信して記録する番組記録再生装置を一例に説明したが、本実施の形態２では、音楽データや映像データ等をインターネットや電話回線等の公衆回線を介してダウンロードして記録するコンテンツ記録装置に適用したものである。
【００４６】
ただし、本実施の形態２のコンテンツ記録装置では、内蔵ＨＤＤや内蔵メモリ等の内蔵記憶手段と、取り外し可能なＨＤＤや内蔵メモリ等の記録媒体と、内蔵記憶手段および記録媒体への記録手段を備えている必要がある。例えば、このような本実施の形態２のコンテンツ記録装置としては、内蔵記憶手段および記録媒体への記録手段の他に、インターネットへの通信機能や、公衆無線ＬＡＮ等への接続機能を有する携帯オーディオ装置や、携帯電話、パーソナルコンピュータ、ゲーム装置などが考えられる。
【００４７】
図６は、本実施の形態２のコンテンツ記録装置の構成例を示すブロック図である。
【００４８】
つまり、図６に示すように、図１に示す実施の形態１と同様の記録再生部２を有すると共に（ただし、図６では、記録媒体としてフラッシュメモリとしている。）と、図１に示す実施の形態１の受信部１の代わりに通信処理部１１、図１に示す実施の形態１の操作制御部３の代わりに操作制御部３１を有している。なお、本実施の形態２の記録再生部２にはは、モニタ５およびスピーカ７が接続されていると共に、ＤＶＤ３０ａの代わりにフラッシュメモリ３０ｂが挿入されてメモリ記録再生部３９によりコンテンツデータが記録再生されるように構成されている。
【００４９】
これにより、本実施の形態２のコンテンツ記録再生装置によれば、上記実施の形態１の番組記録再生装置と同様に、ユーザからの整理指示や、ＨＤＤ２９内にＤＶＤ３０ａ一枚分の番組データが未整理データとして記録される毎に、さらには絶対期間毎や相対期間毎の所定期間毎に、整理用メモリ３２に登録された整理済みデータに基づいて、ＨＤＤ２８に記憶された番組データのうち整理済みデータとして登録された番組データ以外の未整理番組データをメモリ３０ｂに記憶し、かつ、ＨＤＤ２９から削除する移動（ムーブ）処理を制御するようにしたので、コンテンツデータの移動を簡単に行なえユーザの利便性を向上させることができる。
【００５０】
なお、内蔵記憶手段に記憶されたデータの本装置外の移動先として、上記実施の形態１の説明ではＤＶＤ３０ａ、上記実施の形態２ではフラッシュメモリ３０ｂ等の記録媒体を一例に説明したが、本発明では、これに限らず、本装置に接続された他の装置、例えば、同様にＨＤＤを有するＨＤＤレコーダや、ＤＶＤレコーダ、テープレコーダ等のコンテンツ記録装置や、パーソナルコンピュータ、ＨＤＤや内蔵メモリを有する携帯電話、ゲーム装置等の他の装置にコンテンツデータの移動処理を行うようにしても勿論よい。この場合、他の装置と接続するための接続インターフェースが必要となる。
【図面の簡単な説明】
【００５１】
【図１】本発明に係るコンテンツ記録装置を適用した番組記録装置の実施の形態の構成例を示すブロック図である。
【図２】本実施の形態１の番組記録再生装置におけるＨＤＤ２９のデータ自動移動処理の一例である指令型自動移動処理を示すフローチャートである。
【図３】本発明を使用したＨＤＤのデータ整理のイメージ図である。
【図４】本実施の形態１の番組記録再生装置におけるＨＤＤ２９のデータ自動移動処理の一例である容量制限型自動移動処理を示すフローチャートである。
【図５】本実施の形態１の番組記録再生装置におけるＨＤＤ２９のデータ自動移動処理の一例である期間制限型自動移動処理を示すフローチャートである。
【図６】本実施の形態２のコンテンツ記録装置の構成例を示すブロック図である。
【符号の説明】
【００５２】
１  受信部
２  記録再生部
３  操作制御部
４  アンテナ
５  モニタ
６  リモコン
７  スピーカ
８  公衆回線
２０  ＴＶチューナ
２１  外部入力部
２２  入力切換部
２３  Ａ／Ｄ変換器
２４  ＭＰＥＧ２エンコーダ
２５  バッファメモリ
２６  マイコン
２７  一時記憶メモリ
２８  ハードディスク記録再生部
２９  ＨＤＤ
３０  ＤＶＤ記録再生部
３０ａ  ＤＶＤ
３０ｂ  フラッシュメモリ
３１  データ移動制御部
３２  整理済みデータ登録部
３３  バッファメモリ
３４  ＭＰＥＧ２デコーダ
３５  Ｄ／Ａ変換器
３６  リモコンＩ／Ｆ
３７  マイコン
３８  一時記憶メモリ
３９  メモリ記録再生部
【図１】
2008159202.tif 000003
【図２】
2008159202.tif 000004
【図３】
2008159202.tif 000005
【図４】
2008159202.tif 000006
【図５】
2008159202.tif 000007
【図６】
2008159202.tif 000008